(57)【要約】  発券システム１２が、貼り付け式チケット２２と、１又は２以上の貼り付け式チケットプリンタ４０と、貼り付け式チケット制御システム１４とを含む。貼り付け式チケット２２は、バーコード５４が配置された貼り付け式チケットキャリア５６と、識別タグ５８を有するステッカー５９とを含み、ステッカー５９は、貼り付け式チケットキャリア５６から取り外し可能であって別の表面に付着するように構成される。各貼り付け式チケットプリンタ４０は、バーコード５４からバーコード情報を読み取ってバーコード情報をユーザアカウントに関連付けるように構成されるとともに、識別タグ５８からの識別タグ情報の読み取り、識別タグ５８への識別タグ情報の書き込み、又はこれらの組み合わせを行って識別タグ５８をユーザアカウントに関連付けることにより、バーコード５４及び識別タグ５８が同じユーザアカウントに関連付けられるようにするよう構成される。貼り付け式チケット制御システム１４は、貼り付け式チケットリーダ１６によって読み取られたバーコード情報又は識別情報に少なくとも部分的に基づいて遊園地への入場を認証するように構成される。【選択図】図３
2021527884.tif 000002
【特許請求の範囲】
【請求項１】
発券システムであって、該発券システムは、
貼り付け式チケットを含み、該貼り付け式チケットは、
貼り付け式チケットキャリアと、
識別タグ及び接着剤層を含むステッカーであって、前記貼り付け式チケットキャリアから取り外し可能に構成され、かつ別の表面に付着するように構成されたステッカーと、
前記貼り付け式チケットキャリア上に配置されたバーコードと、
を含み、
前記発券システムは、１又は２以上の貼り付け式チケットプリンタを含み、各貼り付け式チケットプリンタは、
バーコード情報をユーザアカウントに関連付けるために前記バーコードから前記バーコード情報を読み取るように構成されたバーコードリーダと、
前記バーコード及び前記識別タグが同じユーザアカウントに関連付けられるように、前記識別タグを前記ユーザアカウントに関連付けるために、前記識別タグからの識別タグ情報の読み取り、前記識別タグへの識別タグ情報の書き込み、又はこれらの組み合わせを行うように構成された識別タグリーダと、
前記バーコード情報及び前記識別タグ情報を伝達するように構成された通信回路と、
を含み、
前記発券システムは、前記１又は２以上の貼り付け式チケットプリンタに結合された貼り付け式チケット制御システムを含み、該貼り付け式チケット制御システムは命令を記憶し、該命令は、実行時に該貼り付け式チケット制御システムに、
前記１又は２以上の貼り付け式チケットプリンタから前記バーコード情報及び前記識別タグ情報を受け取ることと、
前記バーコード情報及び前記識別タグ情報を前記ユーザアカウントに関連して記憶することと、
遊園地に関連する貼り付け式チケットリーダから前記バーコード情報又は前記識別タグ情報を受け取ることと、
前記貼り付け式チケットリーダによって読み取られた前記バーコード情報又は前記識別情報に少なくとも部分的に基づいて前記遊園地への入場を認証することと、
を行わせるように構成される、
発券システム。
【請求項２】
前記バーコードリーダは、前記１又は２以上の貼り付け式チケットプリンタに統合される、請求項１に記載の発券システム。
【請求項３】
前記バーコードリーダは、モバイル装置又はハンドヘルド装置を含む、請求項１に記載の発券システム。
【請求項４】
前記命令は、実行時に前記貼り付け式チケット制御システムに、前記バーコード情報又は前記識別タグ情報の一方のみに基づいて入場を認証することを行わせる、請求項１に記載の発券システム。
【請求項５】
前記命令は、実行時に前記貼り付け式チケット制御システムに、前記遊園地の外部の１又は２以上のポストパークサービスの利用を認証することを行わせる、請求項１に記載の発券システム。
【請求項６】
前記命令は、実行時に前記貼り付け式チケット制御システムに、前記貼り付け式チケットの所有権を認証し、前記貼り付け式チケットの前記所有権を認証したことに応答して代替貼り付け式チケットを生成することを行わせる、請求項１に記載の発券システム。
【請求項７】
前記命令は、実行時に前記貼り付け式チケット制御システムに、前記貼り付け式チケットを無効化することを行わせる、請求項１に記載の発券システム。
【請求項８】
前記識別タグは、貼り付け式チケット設計に関する情報を記憶する、請求項１に記載の発券システム。
【請求項９】
発券方法であって、
貼り付け式チケットの貼り付け式チケット要求を受け取るステップと、
関連付けられた貼り付け式チケットを生成するために、前記貼り付け式チケットのバーコード及び識別タグをユーザに関連付けるステップと、
前記関連付けられた貼り付け式チケットを前記ユーザに提供するステップと、
アトラクションにおいて、前記貼り付け式チケットから前記ユーザに関連する情報を読み取るステップと、
前記情報に少なくとも部分的に基づいて、前記アトラクションへの入場を認証するステップと、
を含む、方法。
【請求項１０】
前記ユーザを前記バーコードに関連付けるステップは、貼り付け式チケットプリンタに統合されたバーコードリーダを使用して前記バーコードをスキャンするステップを含む、請求項９に記載の方法。
【請求項１１】
前記貼り付け式チケットを前記バーコードに関連付けるステップは、モバイル装置を使用して前記バーコードをスキャンするステップを含む、請求項９に記載の方法。
【請求項１２】
前記貼り付け式チケットから前記情報を読み取るステップは、前記バーコードから情報を読み取るステップを含む、請求項９に記載の方法。
【請求項１３】
前記貼り付け式チケットから前記情報を読み取るステップは、前記識別タグから情報を読み取るステップを含む、請求項９に記載の方法。
【請求項１４】
前記認証するステップの後に前記貼り付け式チケットの異なる部分から第２の情報を読み取って、前記アトラクションへの入場を有効にしないステップを含む、請求項９に記載の方法。
【請求項１５】
前記第２の情報は、前記バーコードからのものである、請求項１４に記載の方法。
【請求項１６】
貼り付け式チケットを印刷するように構成された貼り付け式チケットプリンタであって、
貼り付け式チケットキャリア上にバーコードを印刷するように構成されたプリンタと、
バーコード情報を取得するために前記バーコードを読み取るように構成されたバーコードリーダと、
識別タグ情報を取得するために前記貼り付け式チケットキャリアに関連するステッカーの識別タグを読み取るように構成された識別タグリーダと、
貼り付け式チケット情報を生成するために、ユーザ情報を受け取り、該ユーザ情報を前記バーコード情報及び前記識別タグ情報に関連付けるように構成されたプロセッサと、
前記貼り付け式チケット情報を貼り付け式チケット制御システムに送信するように構成された通信回路と、
を含む、貼り付け式チケットプリンタ。
【請求項１７】
前記識別タグリーダは、無線周波数識別（ＲＦＩＤ）タグリーダを含む、請求項１６に記載の貼り付け式チケットプリンタ。
【請求項１８】
前記識別タグリーダは、近距離無線通信（ＮＦＣ）タグリーダを含む、請求項１６に記載の貼り付け式チケットプリンタ。
【請求項１９】
前記バーコードリーダは、光学式リーダを含む、請求項１６に記載の貼り付け式チケットプリンタ。
【請求項２０】
前記ユーザ情報の入力を可能にするように構成されたユーザインターフェイスを含む、請求項１６に記載の貼り付け式チケットプリンタ。
【発明の詳細な説明】
【技術分野】
【０００１】
〔関連出願との相互参照〕
本出願は、２０１８年６月１８日に出願された「貼り付け式チケットシステム及び方法（ＳＴＩＣＫ−ＯＮ  ＴＩＣＫＥＴ  ＳＹＳＴＥＭ  ＡＮＤ  ＭＥＴＨＯＤ）」という名称の米国仮特許出願第６２／６８６，５４５号の利益を主張するものであり、この文献の開示は全ての目的で引用により本明細書に組み入れられる。
【０００２】
本開示は、一般に遊園地の分野に関する。具体的には、本開示の実施形態は、遊園地、イベント及びアトラクションへの入場(access)を認証するための発券システム及び方法に関する。
【背景技術】
【０００３】
本節は、以下で説明及び／又は特許請求する本技術の様々な態様に関連し得る技術の様々な態様を読者に紹介するためのものである。本考察は、読者に背景事情を示して本開示の様々な態様のより良い理解を促す上で役立つと考えられる。従って、これらの記載は、先行技術を認めるものとしてではなく、上記の観点から読むべきものであると理解されたい。
【０００４】
遊園地又は同様の娯楽施設では、ゲスト(guest)の遊園地への入場(access)を認証するための様々な発券技術が使用されている。しかしながら、現在の技術は不便及び／又は非効率的な場合がある。例えば、現在の技術は、購入されたチケット又は資格を統合装置に関連付けて遊園地への入場を可能にするという多段階プロセスを使用する時間のかかる手動集約的(manually intensive)なものである。また、これらの統合装置は、紛失又は損傷の場合に交換又は修理コストがかかることがある。従って、遊園地又はアトラクションへの入場を認証するための効率的なシステム及び方法を提供することが望ましいと考えられる。
【発明の概要】
【０００５】
以下、当初の特許請求の範囲の主題と同一範囲のいくつかの実施形態を要約する。これらの実施形態は、本開示の範囲を限定するものではない。実際に、本開示は、以下に示す実施形態と類似し得る又は異なり得る様々な形態を含むことができる。
【０００６】
本開示の１つの態様によれば、発券システムが、貼り付け式チケット(stick-on ticket)と、１又は２以上の貼り付け式チケットプリンタと、貼り付け式チケット制御システムとを含む。貼り付け式チケットは、貼り付け式チケットキャリアと、識別タグ及び接着剤層(adhesive layer)を含むステッカーとを含み、ステッカーは、貼り付け式チケットキャリアから取り外し可能に構成され、かつ別の表面に付着するように構成される。貼り付け式チケットは、貼り付け式チケットキャリア上に配置されたバーコードも含む。１又は２以上の貼り付け式チケットプリンタの各貼り付け式チケットプリンタは、バーコード情報をユーザアカウントに関連付けるためにバーコードからバーコード情報を読み取るように構成されたバーコードリーダを含む。各貼り付け式チケットプリンタは、バーコード及び識別タグが同じユーザアカウントに関連付けられるように、識別タグをユーザアカウントに関連付けるために、識別タグからの識別タグ情報の読み取り、識別タグへの識別タグ情報の書き込み、又はこれらの組み合わせを行うように構成された識別タグリーダを含む。各貼り付け式チケットプリンタは、バーコード情報及び識別タグ情報を伝達(communicate)するように構成された通信回路(communication circuitry)も含む。貼り付け式チケット制御システムは、１又は２以上の貼り付け式チケットプリンタに結合され、貼り付け式チケット制御システムは命令を記憶し、この命令は、実行時に貼り付け式チケット制御システムに、１又は２以上の貼り付け式チケットプリンタからバーコード情報及び識別タグ情報を受け取ることと、バーコード情報及び識別タグ情報をユーザアカウントに関連して記憶することと、遊園地に関連する貼り付け式チケットリーダからバーコード情報又は識別タグ情報を受け取ることと、貼り付け式チケットリーダによって読み取られたバーコード情報又は識別情報に少なくとも部分的に基づいて遊園地への入場を認証することと、を行わせるように構成される。
【０００７】
本開示の別の態様によれば、発券方法が、貼り付け式チケットの貼り付け式チケット要求(a stick-on ticket request for a stick-on ticket)を受け取るステップと、貼り付け式チケットのバーコード及び識別タグをユーザに関連付けて、関連付けられた貼り付け式チケットを生成するステップとを含む。方法は、関連付けられた貼り付け式チケットをユーザに提供するステップを含む。方法は、アトラクションにおいて、貼り付け式チケットからユーザに関連する情報を読み取るステップを含む。方法は、この情報に少なくとも部分的に基づいてアトラクションへの入場を認証するステップも含む。
【０００８】
本開示の別の態様によれば、貼り付け式チケットを印刷するように構成された貼り付け式チケットプリンタが、貼り付け式チケットキャリア上にバーコードを印刷するように構成されたプリンタを含む。貼り付け式チケットプリンタは、バーコード情報を取得するためにバーコードを読み取るように構成されたバーコードリーダと、識別タグ情報を取得するために貼り付け式チケットキャリアに関連するステッカーの識別タグを読み取るように構成された識別タグリーダとを含む。貼り付け式チケットプリンタは、貼り付け式チケット情報を生成するために、ユーザ情報を受け取り、このユーザ情報をバーコード情報及び識別タグ情報に関連付けるように構成されたプロセッサを含む。貼り付け式チケットプリンタは、貼り付け式チケット情報を貼り付け式チケット制御システムに送信するように構成された通信回路も含む。
【０００９】
全体を通じて同じ部分を同じ符号によって示す添付図面を参照しながら以下の詳細な説明を読めば、本開示のこれらの及びその他の特徴、態様及び利点がより良く理解されるであろう。
【図面の簡単な説明】
【００１０】
【図１】本実施形態による、貼り付け式チケット発券システムを含む遊園地の概略図である。
【図２】本実施形態による、図１の貼り付け式チケット発券システムのブロック図である。
【図３】本実施形態による、遊園地の内部及び外部での貼り付け式チケットの使用を示す、図１の貼り付け式チケット発券システムの実施形態の概略図である。
【図４】本実施形態による、貼り付け式チケットキャリアに付着したステッカーを含む、図１の貼り付け式チケット発券システムの貼り付け式チケットの実施形態の上面図である。
【図５】本実施形態による、貼り付け式チケットキャリアに付着したステッカーを含む、図１の貼り付け式チケット発券システムの貼り付け式チケットの実施形態の底面図である。
【図６】本実施形態による、図４の貼り付け式チケットキャリアからステッカーを取り外す実施形態を示す側面図である。
【図７】本実施形態による、図４及び図５のステッカーを手などの表面上に付着させる実施形態を示す斜視図である。
【図８】本実施形態による、図１の貼り付け式チケット発券システムの動作方法の実施形態のフローチャートである。
【図９】本実施形態による、図１の貼り付け式チケット発券システムの動作方法の実施形態のフローチャートである。
【図１０】本実施形態による、図１の貼り付け式チケット発券システムの動作方法の実施形態のフローチャートである。
【図１１】本実施形態による、図１の貼り付け式チケット発券システムの動作方法の実施形態のフローチャートである。
【発明を実施するための形態】
【００１１】
以下、本開示の１又は２以上の具体的な実施形態について説明する。これらの実施形態を簡潔に説明するために、本明細書では実際の実装の特徴を全て説明していない場合もある。なお、あらゆる工学又は設計プロジェクトにおいて見られるようなあらゆるこのような実際の実装の開発においては、実装によって異なり得るシステム関連及びビジネス関連の制約の順守などの開発者の個別の目的を達成するために、数多くの実装固有の決定を行わなければならないと理解されたい。さらに、このような開発努力は複雑かつ時間の掛かるものとなり得るが、本開示の恩恵を受ける当業者にとっては設計、製作及び製造という日常的な取り組みであると理解されたい。さらに、本発明において平行及び垂直などの特定の用語を使用する限り、これらの用語は、厳密な数学的定義からの逸脱を可能にし、例えば製造上の不完全性及び関連する許容誤差に関連する逸脱を認めるものであると理解されたい。
【００１２】
本開示は、遊園地への入場を効率的に可能にして認証するための貼り付け式チケット発券システム(stick-on ticket ticketing system)に関する。本明細書に示す貼り付け式チケットは、キャリア要素に対する結合及び取り外しが可能な無線通信回路を含むステッカー要素を含む入場チケットを意味することができる。ステッカー要素及び／又はキャリア要素は、遊園地内の様々なアトラクションを利用する(access)ために使用することもでき、従って一定の冗長性(a measure of redundancy)を提供することができる。すなわち、ステッカーの無線通信回路は、遊園地内の様々なアクセスポイントとの通信を容易にしてアトラクションの利用又は他のタイプの相互作用を可能にすることができる。しかしながら、ユーザは、場合によってはより伝統的な紙のチケットを使用したがることもある。このような場合には、ステッカーを取り外した際に残る貼り付け式チケットのキャリア要素の部分がバーコード又はその他の可読要素を含むことができ、アクセスポイントは、アクセスポイントに組み込まれたリーダなどを介してこのような要素を認識することができる。このようにして、技術への抵抗感が高いユーザ(more technology-averse users)には、ステッカーが取り外されているか適所に存在するかにかかわらず慣れ親しんだ方法で使用できる従来のチケットを提供することができる。さらに、無線通信能力付きステッカーなどの新たなタイプのアクセス装置を使用する方が快適なユーザは、このようなステッカーを使用してさらに便利に手ぶらでアトラクションへの入場（又は他のタイプの遊園地相互作用）を行えるという選択肢を有することができる。このようにして、遊園地内のゲストに対してアップグレードされたアクセス技術を徐々に段階的に導入することができる。さらに別の利点は、ステッカーの適用後にユーザがバーコードを含むキャリア要素を保持できるので、うっかりステッカーを紛失してしまってもアトラクションの利用が妨げられない点である。従って、バーコード部分及びステッカーの両方が、その関連するユーザに留まることができる。例えば、ステッカーがユーザの手に貼り付けられている間は、貼り付け式チケットの残りのバーコード部分をポケット又は財布に保管しておくことができる。ステッカーが損傷又は紛失した場合、ユーザは、バーコード部分を取り出して所望のアトラクションを利用することができる。
【００１３】
貼り付け式チケット発券システムは、ユーザによる購入時に、ユーザのアカウント又はプロファイルに関連付けられた又は紐付けされた(linked to)貼り付け式チケットを生成することができる。貼り付け式チケットの関連付けでは、ステッカーの無線通信回路及び可読要素の両方が同じユーザに関連付けられる。ユーザは、貼り付け式チケットのステッカーを剥がして、手、腕、他のいずれかの好適な身体部分、又はいずれかの好適な物体（例えば、衣服、帽子、モバイル装置、携帯電話機）にステッカーを付着させることができる。ステッカーは、ユーザが遊園地に入場し、及び／又は遊園地内の参加型遊園地エリア(participating amusement park areas)を利用すること（例えば、アクセス認証、非接触型支払い機能、タップによる支払い(tap to pay))を可能にする。開示する技術は、遊園地外部のポストパークサービス(post-park services)に関連して使用することもできる。とりわけ、各貼り付け式チケットは、技術プラットフォーム上でユーザアカウント又はプロファイルに関連付けられ又は紐付けられ、遊園地、遊園地内部の参加型遊園地エリア、遊園地外部のポストパークサービス、又はこれらの組み合わせを利用する購入について支払い情報が紐付けられる。従って、貼り付け式チケット発券システムは、アクセス権を認証するためのより効率的なシステム及び方法を提供する。ユーザは、面倒なチケット購入及び認証プロセスを経る必要も、チケットの紛失を心配する必要もなく、これによってさらに楽しい遊園地体験が促される。また、貼り付け式チケット自体が、遊園地の物語に関連する選択可能な及び／又はカスタマイズ可能な設計を含むこともできる。
【００１４】
図１は、本実施形態による、貼り付け式チケット発券システム１２を含む遊園地１０の概略的表現である。貼り付け式チケット発券システム１２は、貼り付け式チケット制御システム１４と、１又は２以上の貼り付け式チケットリーダ１６と、１又は２以上の貼り付け式チケットサービスカウンタ１８（例えば、対面式(in-person)顧客サービスを提供するキオスク１９、サービスカウンタ２０）と、貼り付け式チケット２２と、その他のコンポーネントとを含み、これらは以下で詳細に説明するように本実施形態に従って協調する。本実施形態は、遊園地ゲスト又はユーザ２４が貼り付け式チケット２２を使用して遊園地１０内の様々なアトラクション又はイベントに入場することができる便利なアクセス認証を容易にする。本実施形態は、ユーザ２４が貼り付け式チケット２２を使用して遊園地１０の内部及び／又は外部で買い物すること（例えば、非接触型支払い機能、タップによる支払い）を可能にすることもできる。本明細書における貼り付け式チケット２２への言及は、ステッカー要素及びキャリア要素が１つのユニットとして保持された構成、或いはステッカー要素がキャリア要素から取り外されて身体又はその付近に装着された構成を含むことができる。さらに、本明細書における１又は２以上の貼り付け式チケットリーダ１６は、タップポイント又はタップリーダとして実装することもできる。貼り付け式チケットリーダ１６は、遊園地の入口／出口、アトラクションの入口／出口、小売店のレジ(retail checkout)、イベントの入口／出口、相互作用要素の一部として、又は携帯電話事業者が取り扱うハンドヘルド装置の一部として実装することができる。
【００１５】
一例として、ゲスト又はユーザ２４は、発券場２６（例えば、ホテルのフロント、キオスク、ゲストサービスカウンタ、遊園地ゲート）に到着すると、遊園地マップ、貼り付け式チケット使用説明書、及びアメニティ使用説明書などのいくつかのアイテムの中でもとりわけ、入場資格（例えば、貼り付け式チケット２２）を購入して受け取ることができる。発券場２６は、有効な購入時にユーザ２４に貼り付け式チケット２２を提供する貼り付け式チケットサービスカウンタ１８（例えば、サービスカウンタ、キオスク）を含むことができる。貼り付け式チケット２２を有するユーザ２４は、入口通路２８を通って遊園地１０に入場することができる。図１に示すように、いくつかの実施形態では、入口通路２８が開放される予定の場合に入口通路２８の往来の妨げになり得る物理的回転ドア又は同様の物理的往来集計機構又は制御機構を入口通路２８から排除することができる。すなわち、営業中に入口通路２８に回転ドアが存在しないことができる。貼り付け式チケット２２を有するユーザ２４は、基本的に手ぶらで遊園地１０に入場することができる。例えば、１又は２以上の貼り付け式チケットリーダ１６は、ユーザ２４が立ち止まらずに歩いて入口通路２８を通過する際にユーザ２４の入場を認証することができる。また、ユーザ２４は、遊園地１０内に入ると、貼り付け式チケット２２を使用して異なる遊園地エリア内の様々なアクティビティを利用し、又はこれらに参加することができる。例えば、ユーザ２４は、貼り付け式チケット２２を使用して、ロッカー施設３４、（１又は複数の）ウォータースライド３６、様々な乗り物又はショー３８、（１又は複数の）レストラン又は（１又は複数の）フードコート３９、様々な店舗などを含む参加型アミューズメントエリア３２に入場することができる。
【００１６】
いくつかの実施形態では、ユーザ２４が遊園地１０内に入ると、１又は２以上の貼り付け式チケットサービスカウンタ１８（例えば、対面式顧客サービスを提供するキオスク１９、サービスカウンタ１８）において、自身の貼り付け式チケット２２の使用に関連する援助及び／又はサービスを受けることができる。例えば、貼り付け式チケット２２が正しく機能しない場合、又は貼り付け式チケット２２を紛失した場合、ユーザ２４は、入口通路２８を通って発券場２６の貼り付け式チケットサービスカウンタ１８に戻る必要なく、遊園地内の貼り付け式チケットサービスカウンタ１８のうちの１つから援助又はサービスを受けることができる。いくつかの実施形態では、貼り付け式チケット２２を装着しているユーザ２４が、貼り付け式チケットのユーザ２４に選択的に提供されるプロモーション及び／又はサービスを受けることができる。いくつかの実施形態では、ユーザ２４が装着した貼り付け式チケット２２のアクセス状況が追跡されてモニタリング施設３０に提供され、これを遊園地従業員（例えば、セキュリティサービス会社）がモニタすることができる。
【００１７】
図２は、本実施形態による、図１の貼り付け式チケット発券システム１２のブロック図である。貼り付け式チケット発券システム１２は、１又は２以上の貼り付け式チケットプリンタ４０と、１又は２以上の貼り付け式チケットリーダ１６と、１又は２以上の貼り付け式チケットサービスカウンタ１８と、データサーバ又はプラットフォーム４２と、１又は２以上の入場制御機構４３（例えば、参加型アミューズメントエリア３２への入口通路２８及び／又は他の入口通路の開放又は閉鎖を制御する機構）に通信可能及び／又は動作可能に結合された貼り付け式チケット制御システム１４とを含む。データサーバ４２は、遊園地１０の施設内データサーバとすることも、又は遠隔データサーバとすることもできる。データサーバ４２は、ユーザアカウント、ユーザプロファイル、支払い情報などに関連するユーザ２４の情報を記憶することができる。例えば、このユーザ情報は、ユーザ２４が貼り付け式チケット２２を購入した時に、貼り付け式チケット制御システム１４が受け取ってデータサーバ４２に記憶することができる。
【００１８】
１又は２以上の貼り付け式チケットプリンタ４０の各々は、貼り付け式チケット２２を生成又は印刷するように構成される。貼り付け式チケットプリンタ４０は、オペレータによるユーザ情報の入力を可能にする入力／出力装置４５と、命令（例えば、ソフトウェア、アプリケーション）を記憶するメモリ４４と、これらの命令を実行して貼り付け式チケットプリンタ４０の様々なコンポーネントを制御するように構成されたプロセッサ４６とを含む。貼り付け式チケットプリンタ４０は、貼り付け式チケットプリンタ４０の様々なコンポーネント間の通信及び貼り付け式チケット制御システム１４との通信を可能にする通信インターフェイス４８（例えば、いずれかの好適な有線又は無線通信回路）を含む。プリンタ４０は、バーコードリーダ５０と、識別タグリーダ及び／又はライタ５２とを含む。識別タグリーダ／ライタは、無線通信回路（例えば、ＲＦＩＤ、ＮＦＣ、ＵＨＦ）と通信するように構成することができ、読み取り／書き込み能力を有することができる。
【００１９】
バーコードリーダ５０は、貼り付け式チケットの貼り付け式チケットキャリア５６上のバーコード５４の読み取り又はスキャンを行うように構成される。バーコード５４は、それぞれの貼り付け式チケット２２とユーザ２４のユーザアカウント、プロファイル及び／又は支払い情報との紐付け又は関連付けを可能にするように構成される。バーコード５４は、一次元（１Ｄ）又は２次元（２Ｄ）バリアント型のデータ行列又はクイックレスポンスコード（ＱＲコード(登録商標)）とすることができる。いくつかの実施形態では、バーコードリーダ５０を貼り付け式チケットプリンタ４０内に統合することにより、貼り付け式チケット２２の生成、並びに貼り付け式チケット２２とユーザアカウント、プロファイル及び／又は支払い情報との関連付けが実質的に１ステップ（例えば、貼り付け式チケット２２の生成）で行われるようにすることができる。さらに、１つの実施形態では、バーコードリーダ５０が貼り付け式チケットプリンタ４０の内部に存在し、及び／又は貼り付け式チケットプリンタ４０の外部からアクセスできないようにすることができる。いくつかの実施形態では、バーコードリーダ５０を、貼り付け式チケットプリンタ４０に結合された独立装置（例えば、ハンドヘルド型バーコードリーダ）とすることができる。いくつかの実施形態では、好適なアプリケーションソフトウェア（ａｐｐ）を有するモバイル装置（例えば、携帯電話機、スマートフォン）がバーコードリーダ５０として機能することができ、ユーザ２４が、バーコード５４をスキャンして貼り付け式チケット２２をユーザアカウント、プロファイル又は支払い情報に関連付けることができる。いくつかの実施形態では、貼り付け式チケットキャリア５６が貼り付け式チケットプリンタ４０に読み込まれる前に、貼り付け式チケットキャリア５６上にバーコード５４が既に予め印刷されている。いくつかの実施形態では、貼り付け式チケットプリンタ４０が、バーコード５４と同じユーザにステッカー５９を関連付ける前、最中又は後のいずれかに貼り付け式チケットキャリア５６上にバーコードを印刷するように構成されたプリンタ５１を含むことができる。プリンタ５１は、貼り付け式チケット上に追加情報（時間、日付、追加の設計特徴など）を印刷することもできる。いくつかの実施形態では、プリンタ５１を、貼り付け式チケットキャリア５６のステッカー５９の外側部分及び直接ステッカー５９上に印刷を行うように構成することができる。
【００２０】
１つの実施形態では、貼り付け式チケットプリンタ４０が、統合識別タグ(integral identification tags)５８を有する貼り付け式チケットキャリアストック(stick-on ticket carrier stock)と共に使用されるように構成される。また、プリンタ５１は、貼り付け式チケット２２上にバーコード５４を印刷することもでき、識別タグリーダ／ライタ５２は、取り外し可能ステッカー５９の境界の外側に位置する貼り付け式チケットキャリア５６の領域にバーコードを印刷するようにプログラムすることができる。ステッカー５９が特定の図形的外観又は設計に関連し得る限り、いくつかの実施形態では、プリンタ５１が、ステッカー５９及び／又は貼り付け式チケットキャリア５６上にこの設計を印刷することができる。貼り付け式チケットキャリアストックには、ステッカー５９がストック上に一定間隔で提供され、識別タグ５８が予め切断されたステッカー５９の境界内に完全に収まるように、予め切れ目を入れた(pre-scored)又は予め切断したステッカー５９（及び／又は個々の貼り付け式チケット２２間の切れ目）を提供することもできる。いくつかの実施形態では、貼り付け式チケットプリンタ４０を、貼り付け式チケット２２のステッカー５９上又はステッカー５９内にバーコード５４及び識別タグ５８の両方を印刷するように構成することができる。すなわち、ストックに統合識別タグ５８を供給するのではなく、識別タグ５８の無線通信回路をオンデマンドで印刷することもできる。
【００２１】
識別タグリーダ／ライタ５２は、各貼り付け式チケット２２の識別タグ５８を特定のユーザに関連付けるように構成される。識別タグ５８は、貼り付け式チケット２２の識別及び追跡のために１又は２以上の貼り付け式チケットリーダ１６（例えば、ＲＦＩＤリーダ又はＮＦＣリーダ）によって読み取られるように構成された無線周波数識別（ＲＦＩＤ）タグ、近距離無線通信（ＮＦＣ）タグ、又は他のいずれかの好適なタグとすることができる。また、識別タグ５８は、異なるタイプの通信能力を容易にするタグの組み合わせを特徴とすることもできる。１つの実施形態では、識別タグ５８が、単一のタグ内に実装されて中距離及び短距離通信の両方を可能にする超高周波数（ＵＨＦ）アンテナ及び近距離無線通信アンテナを含むことができる。いくつかの実施形態では、識別タグ５８をパッシブタグ又は無電力タグ(powerless tag)とすることができる。別の実施形態では、識別タグ５８が、リーダ（例えば、識別タグリーダ／ライタ５２、貼り付け式チケットリーダ１６）から電力を受け取ることができる。識別タグ５８は、読み取り専用タグ（例えば、データベース内への鍵として使用される場合には、割り当てられたシリアル番号又は英数字コード）とすることができ、識別タグリーダ５２は、個々の識別タグ５８をスキャンして識別タグ５８のメモリ内の割り当てコードを読み出し、このコードを貼り付け式チケット制御システム１４のメモリ７０にユーザのプロフィールの一部として記憶することによって特定のユーザに関連付けるように構成される。識別タグ５８は、読み取り／書き込みタグとすることもできる（例えば、システムユーザは、目的に特化したデータをタグに書き込むことができる）。すなわち、識別タグリーダ／ライタ５２は、識別タグ５８を特定のユーザに関連付ける書き込みを識別タグ５８のメモリに行うように構成される。例えば、特定のユーザに関連する識別コード（例えば、英数字コード）を識別タグ５８のメモリに書き込んで、識別タグ５８をユーザに関連付けることができる。いずれの場合にも、ステッカー５９の識別タグ５８及び単一の貼り付け式チケット２２のバーコード５４を同じユーザに関連付けることでユーザの資格も関連付けられ、これによって識別タグ５８又はバーコード５４を介していずれかのＶＩＰステータス又はその他のユーザプロファイル情報にアクセスしてこれを提示できるようにすることができる。
【００２２】
貼り付け式チケットプリンタ４０は、貼り付け式チケットキャリア５６のストックを読み込み、バーコードリーダ５０を介してバーコード５４を読み取り、識別タグ５８に対する読み取り及び／又は書き込みを行って、特定のユーザに関連する貼り付け式チケット２２を生成することができる。関連付けが終わると、ユーザ識別子、並びにバーコード及び識別タグ情報を含む貼り付け式チケット情報を貼り付け式チケット制御システム１４に提供して記憶し、遊園地相互作用を容易にすることができる。いくつかの実施形態では、貼り付け式チケットプリンタ４０を、識別タグ５８を関連付けるのと実質的に同時にバーコード５４を読み取るように構成することができる（例えば、バーコードリーダ５０が貼り付け式チケットプリンタ４０に統合される）。いくつかの実施形態では、バーコードリーダ５０を貼り付け式チケットプリンタ４０に統合せずに、貼り付け式チケット２２が生成された後の時点でバーコード５４を読み取ることもできる。
【００２３】
貼り付け式チケットサービスカウンタ１８は、貼り付け式チケットに関連する援助及び／又はサービスをユーザ２４に提供するように構成される。貼り付け式チケットサービスカウンタ１８は、命令（例えば、ソフトウェア、アプリケーション）を記憶するメモリ６０と、これらの命令を実行して貼り付け式チケットサービスカウンタ１８の様々なコンポーネントを制御するように構成されたプロセッサ６２とを含む。貼り付け式チケットサービスカウンタ１８は、貼り付け式チケットサービスカウンタ１８の様々なコンポーネント間の通信、及び貼り付け式チケット制御システム１４との通信を可能にする通信インターフェイス６４（例えば、いずれかの好適な有線又は無線通信）を含む。貼り付け式チケットサービスカウンタ１８は、オペレータインターフェイス６６（例えば、コンピュータベースのワークステーション又は装置、入力／出力インターフェイス、ディスプレイ）を含む。貼り付け式チケットサービスカウンタ１８は、貼り付け式チケットプリンタ４０及びバーコードリーダ５０を含むこともできる。いくつかの実施形態では、貼り付け式チケット２２の識別タグ５８が正しく機能しない場合、或いは貼り付け式チケット２２又は貼り付け式チケット２２の識別タグ５８を紛失した場合、貼り付け式チケットサービスカウンタ１８のバーコードリーダ５０が、貼り付け式チケットキャリア５６上に残っているバーコード５４を読み取ることができる。貼り付け式チケット制御システム１４は、バーコードリーダ５０から読み取られた情報に基づいて、ユーザ２４の資格、ユーザアカウント、プロファイル又は支払い情報を検証することができる。ユーザ２４の資格、ユーザアカウント、プロファイル又は支払い情報が検証されると、貼り付け式チケットサービスカウンタ１８は、貼り付け式チケットプリンタ４０を使用して貼り付け式チケット２２の代替物（例えば、代替貼り付け式チケット２２）を生成することができる。
【００２４】
貼り付け式チケット制御システム１４は、遠隔システムとすることも、又は遊園地１０の現場に位置することもできる。貼り付け式チケット制御システム１４は、命令（例えば、ソフトウェア、アプリケーション）を記憶するメモリ７０と、これらの命令を実行して貼り付け式チケット制御システム１４の様々なコンポーネント、貼り付け式チケット発券システム１２の様々なコンポーネント（例えば、１又は２以上の貼り付け式チケットプリンタ４０、１又は２以上の貼り付け式チケットリーダ１６、データサーバ４２、１又は２以上の貼り付け式チケットサービスカウンタ１８）、及び／又は遊園地１０のいくつかのコンポーネント（例えば、遊園地１０及び／又は参加型遊園地エリア３２への入場を許可又は拒否するコンポーネント）を制御するように構成されたプロセッサ７２とを含む。貼り付け式チケット制御システム１４は、貼り付け式チケット制御システム１４の様々なコンポーネント間の通信、貼り付け式チケット発券システム１２の様々なコンポーネントとの通信、及び１又は２以上の入場制御機構４３（例えば、参加型アミューズメントエリア３２への入口通路２８及び／又は他の入口通路の開放又は閉鎖を制御する機構）との通信を可能にする通信インターフェイス７４（例えば、いずれかの好適な有線又は無線通信）を含む。貼り付け式チケット制御システム１４は、オペレータインターフェイス７６（例えば、コンピュータベースのワークステーション又は装置、入力／出力インターフェイス、ディスプレイ）を含むことができる。
【００２５】
一般に、貼り付け式チケット制御システム１４は、貼り付け式チケット発券システム１２の様々なコンポーネントからの情報を受け取り、分析し、調整して、貼り付け式チケット２２の生成及びその使用の追跡を行うことができる。いくつかの実施形態では、貼り付け式チケット制御システム１４が、貼り付け式チケット２２の生成及び／又は認証を決定するための検証命令(verification instructions)７８を含むことができる。検証命令７８は、１人の認証ユーザ２４当たり１つの貼り付け式チケット２２のみが作動中又は使用中であることを保証するように貼り付け式チケット２２を生成して認証するためのルールを含むことができる。例えば、これらのルールは、認証ユーザ２４の代替貼り付け式チケット２２を生成する前に、貼り付け式チケット２２の所有権を認証すること（例えば、有効な購入又は支払い情報を検証すること、バーコード５４をスキャンすること、又は他のいずれかの好適な方法によって所有権を検証すること）を含むことができる。これらのルールは、代替貼り付け式チケット２２を生成する前に、１又は２以上の貼り付け式チケットリーダ１６及び／又は１又は２以上の貼り付け式チケットサービスカウンタ１８から受け取られた情報を分析して、貼り付け式チケット２２が無許可のユーザによって盗難又は悪用されていないことを保証することを含むことができる。これらのルールは、認証ユーザ２４の代替貼り付け式チケット２２を生成する前に、紛失した貼り付け式チケット２２の識別タグ５８を使用したアクセスを無効化し、又はその関連付けを解除すること(de-associating)を含むことができる。これらのルールは、識別タグ５８を使用したアクセスを所定の時点で無効化し、又はその関連付けを解除することを含むことができる。この所定の時点は、貼り付け式チケット２２を購入した時点からの一定期間（例えば、時間、日数）、（例えば、貼り付け式チケットリーダ１６によって読み取られた）貼り付け式チケット２２の最初の使用時からの一定期間（例えば、時間、日数）、遊園地１０の閉園時、１日の終了時などとすることができる。
【００２６】
図３は、遊園地１０の内部及び外部での貼り付け式チケット２２の使用を示す、図１の貼り付け式チケット発券システム１２の実施形態の概略図である。貼り付け式チケット２２は、個々の貼り付け式チケット２２がユーザ２４の特定のユーザアカウント又はプロファイルに関連付けられた時に作動し又は関連付けられる。具体的には、貼り付け式チケット２２は、貼り付け式チケット２２のバーコード５４がバーコードリーダ５０によって読み取られて個々の貼り付け式チケット２２のバーコード５４及び識別タグ５８が対応するユーザアカウント、プロファイル及び／又は支払い情報に紐付けられた時に作動し又は関連付けられる。ユーザ２４は、入口通路２８の傍の貼り付け式チケットリーダ１６において貼り付け式チケット２２をスキャンして遊園地１０に入場することができる。１つの実施形態では、ユーザ２４が遊園地１０に入場すると、遊園地１０への入場料に含まれている全てのアミューズメントエリア（例えば、乗り物、ショー、娯楽イベント）を利用することができる。例えば、ユーザ２４は、遊園地１０への一般入場料に含まれているアミューズメントエリア３２を利用するために貼り付け式チケット２２のスキャンを必要としないことができる。いくつかの実施形態では、ユーザ２４が、参加型アミューズメントエリア３２において貼り付け式チケット２２をスキャンして参加型アミューズメントエリア３２を利用及び／又は推進することができる。参加型アミューズメントエリア３２は、乗り物、小売店（例えば、自動販売機、店舗、土産物店）、ロッカールーム、ショー、イベントホテル、レストラン又はフードコートなどを含むことができる。さらに、いくつかの実施形態では、参加型アミューズメントエリア３２内のいくつかのアミューズメントエリア３２に、貼り付け式チケット２２を介して制御された形で入場することができる。制御されたアミューズメントエリア３２への入場は、１回限りのイベント又は私的イベントのために、その日の特定の利用要件に応じて制御パラメータを変更できるように動的に制御することができる。すなわち、貼り付け式チケット２２は、遊園地エリア３２内の特定のユーザ２４のみにアクセスを提供する解決策を容易にすることができる。いくつかの実施形態では、ユーザ２４が遊園地１０から退出したことを貼り付け式チケット発券システム１２が認識するように、ユーザ２４が、遊園地１０の出口２９の傍の貼り付け式チケットリーダ１６において貼り付け式チケット２２をスキャンすることができる。いくつかの実施形態では、ユーザ２４が遊園地１０から退出する際に、貼り付け式チケット２２をスキャンして遊園地１０外部のポストパークサービス又は施設３３を利用及び／又は推進することができる。例えば、ポストパークサービス３３は、以下に限定するわけではないが、輸送サービス、ショー、小売店、及び市内観光(city tours)を含むことができる。
【００２７】
図４及び図５は、それぞれ貼り付け式チケット２２の概略的上面図及び概略的底面図である。図６は、貼り付け式チケット２２の実施形態の概略的側面図である。各個々の貼り付け式チケット２２はステッカー５９を含み、ステッカー５９には識別タグ５８が配置、統合又は内蔵される。図４には、識別タグ５８を有するステッカー５９を含むキャリア５６の上面５５を示す。キャリア５６は、ステッカー５９に内蔵又は別様に結合できる識別タグ５８との通信を可能にする好適な材料（例えば、シャークスキン(sharkskin)、プラスチック、ポリマー、布地、紙）から形成することができる。図５に示すように、裏面又は反対面５７は、貼り付け式チケットプリンタを介したオンデマンド印刷（インク又は熱印刷）に使用することができ、貼り付け式チケットキャリア５６上に配置又は印刷されたバーコード５４を保持することができる。反対面５７は、上面５５と同じ又は異なる材料から形成することができる。従って、貼り付け式チケット２２は、いくつかの要素（上面５５上のステッカー５９、予め印刷された設計）が存在するストックとして提供できる一方で、他の情報をオンデマンドで印刷することもできる。図示の実施形態ではバーコード５４を反対面５７上に示しているが、これに加えて、又はこれとは別に、バーコード５４は上面５５に印刷することもできると理解されたい（図７を参照）。
【００２８】
ステッカー５９は、ステッカー５９が粘着性ではあるが貼り付け式チケットキャリア５６から剥がすことができるような接着剤(adhesive)６１を含む。ステッカー５９は、付着時に表面に適合するようないずれかの好適な可撓性材料（例えば、紙、プラスチック）とすることができる。接着剤６１は、ステッカー５９をゲストの身体の一部（例えば、手、腕）の表面又は物体（例えば、モバイル装置、携帯電話機、ハンドヘルド装置、衣服、衣料及びアクセサリ）の表面などのあらゆる好適な表面に付着させるように構成されたいずれかの好適な接着剤を含むことができる。いくつかの実施形態では、接着剤６１を医療グレードの接着剤とすることができる。貼り付け式チケット２２は、あらゆる好適な形状（例えば、正方形、長方形、円、三角形、不規則形状）を有することができる。貼り付け式チケット２２は、あらゆる好適な設計（例えば、形状、色、パターン）を有することができ、上面５５全体又は上面５５の一部のみをカバーするようなサイズとすることができる。
【００２９】
いくつかの実施形態では、貼り付け式チケット２２が、テーマに従う形状及び／又は設計を有することができる。いくつかの実施形態では、貼り付け式チケット２２が、ユーザ選択可能な設計を特徴とすることができる。例えば、ユーザは、発行時に一群の利用可能な設計（例えば、青色、黄色、赤色）のうちの１つ、又は特定のキャラクタに関連する貼り付け式チケットを要求することができる。利用可能な設計又はキャラクタが予め印刷されたストックを含むストックを提供することができ、プリンタ４０は、この選択に基づいて、選択された設計ストックをストックの在庫から読み込んで適切な貼り付け式チケット２２を生成することができる。各個々のタイプの設計は、貼り付け式チケット２２の作動時にユーザが利用できる特定の特別な資格又は相互作用型遊園地要素に関連することもできる。例えば、青色の貼り付け式チケット２２を選択したユーザは、青色の貼り付け式チケット２２には応答するが他の色の貼り付け式チケット２２には応答しない青色の相互作用要素を遊園地の至る所で発見することができる。このような実施形態では、バーコード５４及び識別タグ５８が、このような相互作用を容易にするために、貼り付け式チケット設計のタイプを示す情報及びユーザ情報を含むことができる。
【００３０】
ステッカー５９は、矢印６３で示すように貼り付け式チケットキャリア５６から剥がされ又は取り外されて好適な表面に付着するように構成される。図示の実施形態では、ステッカー５９が、貼り付け式チケットキャリア５６上に位置する最上層として実装されている。しかしながら、ステッカー５９は、貼り付け式チケットキャリア５６を含む層の一部とすることも、又はこのような層から形成することもでき、キャリア５６から剥がれて、貼り付け式チケットキャリア５６及びバーコード５４に取り囲まれたステッカー５９の領域に、剥離ライナ(release liner)を含む貼り付け式チケットキャリア５６の残存部分６５を残すことができると理解されたい。いくつかの実施形態では、上面５５が、ステッカー５９が除去された時に明らかになってステッカー５９の使用を促す設計又は情報特徴（例えば、パズルのヒント(puzzle clue)、報酬コード、クーポン、特別提供）を含むことができる。
【００３１】
図７は、図４〜図６のステッカー５９を手２５などの表面２３上に付着させる実施形態を示す概略的斜視図である。ステッカー５９は、好適な期間（例えば、分、時間）にわたって十分な付着力で表面２３に適合するように構成することができる。ステッカー５９は、腕などの他のいずれかの好適な身体部分に付着するように構成することができる。ステッカー５９は、衣服、帽子、モバイル装置及び携帯電話機などのいずれかの好適な物体に付着するように構成することもできる。
【００３２】
図８は、本実施形態による、図１の貼り付け式チケット発券システムの動作方法９０の実施形態のフローチャートである。メモリ７０に記憶された方法９０のステップのうちの１つ又は２つ以上はプロセッサ７２が実行することができる。図１、図２及び図３の貼り付け式チケット発券システム１２を参照すると、方法９０は、貼り付け式チケットを準備（ステップ９２）又は生成するステップを含む。例えば、貼り付け式チケット制御システム１４は、ユーザ２４によって提供された有効な情報（例えば、支払い情報、ユーザアカウント情報、ユーザプロファイル情報）に関連する要求を受け取ると、貼り付け式チケットプリンタ４０にユーザ２４の貼り付け式チケット２２を生成するように命令することができる。貼り付け式チケットプリンタ４０の準備は、貼り付け式チケットキャリア５６を読み込む確認を含むことができる。貼り付け式チケットプリンタ４０の準備は、（バーコード５４が未だ貼り付け式チケットキャリア５６上に存在していなかった場合）貼り付け式チケットキャリア５６上にバーコード５４を印刷するステップを含むことができる。貼り付け式チケット制御システム１４は、検証命令７８のルールに基づいて検証プロセスを実行し、検証時にユーザ２４の貼り付け式チケット２２を生成する準備を行うように貼り付け式チケットプリンタ４０に命令することができる。
【００３３】
方法９０は、バーコード及び識別タグを個々のユーザに関連付けることによって貼り付け式チケット２２を同じユーザに関連付けるステップを含む。例えば、貼り付け式チケット制御システム１４は、スキャンされたバーコード５４を有する貼り付け式チケット２２にユーザアカウント、ユーザプロファイル及び／又は支払い情報を紐付け又は関連付けできるように、バーコードリーダ５０を使用して貼り付け式チケット２２上のバーコード５４をスキャンするように貼り付け式チケットプリンタ４０に命令することができる。同様に、プリンタ４０は、識別タグ５８に対する読み取り及び／又は書き込みを行って、識別タグ５８上の情報を同じユーザに関連付けることができる。従って、バーコード５４及び識別タグ５８は同じユーザに関連付けられる。バーコード５４及び識別タグ５８は、同じ又は異なるコードを有することができる。方法９０は、貼り付け式チケット２２を印刷するステップ（ステップ９６）を含む。本明細書では、識別タグ５８及びスキャンされたバーコード５４を有する（例えば、貼り付け式チケット２２をユーザアカウント、プロファイル及び／又は支払い情報に紐付け又は関連付けするためにバーコード５４がスキャンされた）貼り付け式チケット２２を、関連付けられた貼り付け式チケット９８と呼ぶ。いくつかの実施形態ではステップ９４を省くことができ、方法９０は、ステップ９６の後に、貼り付け式チケット２２が印刷された後にバーコードリーダを使用して貼り付け式チケット２２をスキャンするステップ（ステップ１００）を含む。例えば、貼り付け式チケット制御システム１４は、バーコードリーダ５０として機能するモバイル装置（例えば、好適なアプリケーションソフトウェアを有する携帯電話機又はスマートフォン）からスキャンされたバーコード情報を受け取ることができる。
【００３４】
方法９０は、アトラクション（例えば、遊園地１０全体、様々な参加型遊園地エリア３２）において貼り付け式チケット情報を受け取るステップ（ステップ１０２）を含む。例えば、貼り付け式チケット制御システム１４は、入口通路２８（図１）の傍に配置された貼り付け式チケットリーダ１６から、及び／又は参加型遊園地エリア３２（例えば、ロッカー施設、様々な乗り物及び／又はショー、レストラン又はフードコート、様々な小売店又は店舗）に配置された貼り付け式チケットリーダ１６から貼り付け式チケット情報を受け取ることができる。貼り付け式チケットリーダ１６は、それぞれ識別タグ情報及びバーコード情報を読み取るための識別タグリーダ（例えば、ＲＦＩＤリーダ）及び光学式リーダの一方又は両方を含むことができる。方法９０は、ステップ１０２において受け取られた貼り付け式チケット情報に基づいてアクセスを認証するステップ（ステップ１０４）を含む。方法９０は、関連付けられた貼り付け式チケット９８が特定のアトラクションのための有効な通行証であると判定したことに応答して、特定のアトラクションへの入場を認めるステップ（ステップ１０６）を含む。例えば、貼り付け式チケット制御システム１４は、対応する１又は２以上の入場制御機構４３に特定のアトラクションへの入場を許可するように命令することができる。方法９０は、関連付けられた貼り付け式チケット９８が特定のアトラクションのための無効な通行証であると判定したことに応答して、特定のアトラクションへの入場を拒否するステップ（ステップ１０８）を含む。ステップ１０２、１０４及び１０６は、矢印１１０で示すように複数回繰り返すことができる。例えば、ユーザ２４が貼り付け式チケット２２を使用して同じアトラクションを複数回利用する場合、及び／又は異なる時点で異なるアトラクションを利用する場合、貼り付け式チケット制御システム１４は、貼り付け式チケット情報を複数回受け取ることができる。
【００３５】
いくつかの例では、貼り付け式チケット２２の紛失又は貼り付け式チケット２２が正しく機能しないことに起因してアトラクションへの入場が拒否されることがある。これらの場合、ユーザ２４は、貼り付け式チケットサービスカウンタ１８（例えば、対面式顧客サービスを提供するキオスク１９、サービスカウンタ２０）に援助を求めることができる。従って、方法９０は、貼り付け式チケットサービスカウンタ１８において検証情報を受け取るステップ（ステップ１１２）を含み、その後に矢印１１４で示すようにステップ９２に戻ってユーザ２４の代替貼り付け式チケット２２を生成する。貼り付け式チケットサービスカウンタ１８において受け取られる検証情報は、識別証明、貼り付け式チケット２２の購入証明、貼り付け式チケットのバーコード５４、又は貼り付け式チケット２２の所有権を検証するためのその他の好適な情報を含むことができる。
【００３６】
貼り付け式チケット制御システム１４は、バーコード５４及び識別タグ５８によって提供される冗長性により、貼り付け式チケット２２の一部が別の個人に譲渡されて遊園地及び／又は遊園地アトラクションへのアクセス権を得ることを防ぐように構成される。例えば、バーコード５４からの情報と識別タグ５８からの情報とが２つの異なる位置から受け取られた場合、貼り付け式チケット制御システム１４は、対応する入場制御機構４３に、貼り付け式チケット２２の所有権が検証されるまで関連する特定のアトラクションへの入場を保留するように命令することができる。所有権が検証されると、貼り付け式チケット制御システム１４は、無効な入場要求を無効化するように入場制御機構４３に命令することができる。従って、バーコード５４から読み取られた情報を介したアクセスは、同じ貼り付け式チケット２２の識別タグ５８から読み取られた情報に基づいて同時アクセスを無効化し、この逆もまた同様である。すなわち、どの時点においても、貼り付け式チケット２２の一部（バーコード５４又は識別タグ５８）のみを使用してアクセス権を得ることができる。
【００３７】
図９は、本実施形態による、図１の貼り付け式チケット発券システムの動作方法１２０の別の実施形態のフローチャートである。メモリ１２０に記憶された方法９０のステップのうちの１つ又は２つ以上はプロセッサ７２が実行することができる。図１、図２及び図３の貼り付け式チケット発券システム１２を参照すると、方法９０は、遊園地出口において貼り付け式チケット情報を受け取るステップ（ステップ１２２）を含む。例えば、貼り付け式チケット制御システム１４は、遊園地１０の出口２９（図３）の傍に配置された貼り付け式チケットリーダ１６から、ユーザ２４が遊園地１０から退出したことを示す貼り付け式チケット情報を受け取ることができる。いくつかの実施形態では、方法１２０が、ユーザ２４が遊園地１０から退出したことに応答して、貼り付け式チケット２２を無効化し、又はその関連付けを解除するステップ（ステップ１２４）を含む。ある実施形態では、例えば１日の終わりなどの購入資格の期限切れ時に、無効化された貼り付け式チケット２２を無効化することができる。例えば、ユーザは、特定の日の資格を購入することができる。貼り付け式チケット制御システム１４は、１日の終わりの閉園時に、全ての期限切れの貼り付け式チケット２２にもはや入場資格がなくなるように更新される。無効化された又は関連付けが解除された貼り付け式チケット２２は、もはや遊園地１０及び／又は様々な参加型アミューズメントエリア３２への入場に使用することができない。いくつかの実施形態ではステップ１２２を省くことができ、貼り付け式チケット制御システム１４は、検証命令７８（図２）の１又は２以上のルールに従って貼り付け式チケット２２を無効化し、又はその関連付けを解除することができる。例えば、貼り付け式チケット制御システム１４は、所定の時点で貼り付け式チケット２２を無効化し、又はその関連付けを解除することができる。この所定の時点は、貼り付け式チケット２２を購入した時点からの一定期間（例えば、時間、日数）、（例えば、貼り付け式チケットリーダ１６によって読み取られた）貼り付け式チケット２２の最初の使用時からの一定期間（例えば、時間、日数）、遊園地１０の閉園時、又は１日の終了時とすることができる。いくつかの実施形態では、方法１２０が、ポストパークサービス３３において貼り付け式チケット情報を受け取るステップ（ステップ１２６）を含む。例えば、貼り付け式チケット制御システム１４は、ポストパークサービス３３（例えば、輸送サービス、ショー、小売店及び市内観光）に配置された貼り付け式チケットリーダ１６から貼り付け式チケット情報を受け取ることができる。方法１２０は、ステップ１２６において受け取られた貼り付け式チケット情報に基づいてアクセスを認証するステップ（ステップ１２８）を含む。方法１２０は、貼り付け式チケット２２が特定のポストパークサービス３３のための有効な通行証であると判定したことに応答して、特定のポストパークサービス３３への入場を許可するステップ（ステップ１３０）を含む。例えば、貼り付け式チケット制御システム１４は、対応する１又は２以上の入場制御機構４３に特定のポストパークサービス３３への入場を許可するように命令することができる。方法１２０は、貼り付け式チケット２２が特定のアトラクションのための無効な通行証であると判定したことに応答して、図７のステップ１０８に進む。ステップ１２６、１２８及び１３０は、矢印１３２で示すように複数回繰り返すことができる。例えば、ユーザ２４が貼り付け式チケット２２を使用して同じポストパークサービス３３を複数回利用する場合、及び／又は異なる時点で異なるポストパークサービス３３を利用する場合、貼り付け式チケット制御システム１４は、貼り付け式チケット情報を複数回受け取ることができる。
【００３８】
図１０は、本実施形態による、図１の貼り付け式チケット発券システムの動作方法１３０の実施形態のフローチャートである。メモリ７０に記憶された方法１３０のステップのうちの１つ又は２つ以上はプロセッサ７２が実行することができる。図１、図２及び図３の貼り付け式チケット発券システム１２を参照すると、方法１３０は、直接的な貼り付け式チケット要求(an in-person a stick-on ticket request)（ブロック１３２）を受け取るステップを含み、この結果、貼り付け式チケット制御システム１４は、貼り付け式チケットプリンタ４０にユーザ２４の貼り付け式チケット２２を準備するように命令する。貼り付け式チケットプリンタ４０の準備は、（バーコード５４が未だ貼り付け式チケットキャリア５６上に存在していなかった場合）貼り付け式チケットキャリア５６上にバーコード５４を印刷するステップを含むことができる（ブロック１３４）。方法１３０は、内部リーダ５２を使用してプリンタ４０内でタグを読み取ることによって、貼り付け式チケット２２のバーコード５４を貼り付け式チケット２２のタグに関連付けるステップ（ステップ１３６）を含む。方法１３０は、プリンタ４０に記憶された印刷情報にアクセスしてバーコードを取得し、又は印刷されたバーコード５４を読み取ることができる。従って、バーコード５４及び識別タグ５８は、同じ貼り付け式チケットに関連付けられる。バーコード情報及びタグ情報は、貼り付け式チケット制御システム１４に記憶することができる。貼り付け式チケット２２は、プリンタ４０から取り出されてゲスト又はユーザ２４に提供される（ブロック１３８）。その後、オペレータが（バーコードリーダを使用して貼り付け式チケット制御システム１４にアクセスして）ゲスト名及び関連するプロファイル及びアカウント情報を貼り付け式チケット２２に関連付けることによって、貼り付け式チケット２２を手動で関連付けることができる（ブロック１４４）。貼り付け式チケット２２は、モバイル装置上で動作する、ユーザ２４によるバーコード５４のスキャン及び／又は識別タグ５８の読み取りを可能にするアプリケーションに関連付けることもできる。読み取りが終わると、アプリケーションは、スキャンされた貼り付け式チケット２２にユーザ２４を自動的に関連付けて、この関連付けを貼り付け式チケット制御システム１４に伝える（ブロック１４２）。貼り付け式チケット制御システム１４は、このユーザ情報及び貼り付け式チケット情報を含む関連付けをデータベースにログ記録する（ブロック１４６）。ログ記録が終わると、貼り付け式チケット２２が認証され（ブロック１４８）、本明細書に示すように遊園地１０内で使用される（ブロック１５０）。
【００３９】
図１１は、本実施形態による、図１の貼り付け式チケット発券システムの動作方法１６０の実施形態のフローチャートである。メモリ７０に記憶された方法１６０のステップのうちの１つ又は２つ以上はプロセッサ７２が実行することができる。図１、図２及び図３の貼り付け式チケット発券システム１２を参照すると、方法１６０は、キオスクから貼り付け式チケット要求を受け取るステップを含む（ブロック１６２）。この要求は、ゲスト情報入力を促す指示を含み又は提供し（ブロック１６４）、この情報は手動で入力することも、又はモバイル装置上で動作するアプリケーション内に表示されたコードをスキャンすることによって提供することもできる。貼り付け式チケット制御システム１４は、既存のオーダーが行われているか、それとも新規オーダーを生成するかを判定し（ブロック１６６）、この結果、貼り付け式チケット制御システム１４は、貼り付け式チケットプリンタ４０にユーザ２４の貼り付け式チケット２２を準備するように命令する。貼り付け式チケットプリンタ４０の準備は、（バーコード５４が未だ貼り付け式チケットキャリア５６上に存在していなかった場合）貼り付け式チケットキャリア５６上にバーコード５４を印刷するステップ（ステップ１６８）を含むことができる。方法１３０は、内部リーダ５２を使用してプリンタ４０内でタグを読み取ることによって、貼り付け式チケット２２のバーコード５４を貼り付け式チケット２２のタグに関連付けるステップ（ステップ１７０）を含む。方法１３０は、プリンタ４０に記憶された印刷情報にアクセスしてバーコードを取得し、又は印刷されたバーコード５４を読み取ることができる。従って、バーコード５４及び識別タグ５８は、同じ貼り付け式チケットに関連付けられる。バーコード情報及びタグ情報は、貼り付け式チケット制御システム１４に記憶することができる。貼り付け式チケット２２は、ゲストプロファイルにさらに関連付けられる（ブロック１７１）。貼り付け式チケット２２は、プリンタ４０から取り出されてゲスト又はユーザ２４に提供される（ブロック１７２）。貼り付け式チケット制御システム１４は、このユーザ情報及び貼り付け式チケット情報を含む貼り付け式チケットの関連付けをデータベースにログ記録する（ブロック１７４）。ログ記録が終わると、貼り付け式チケット２２が認証され（ブロック１７６）、本明細書に示すように遊園地１０内で使用される（ブロック１７８）。
【００４０】
また、いくつかの実施形態では、貼り付け式チケット２２を取得する及び／又は関連付けるいくつかのステップをユーザ２４が予め実行しておくこともできる。例えば、ユーザ２４は、次の旅行を見越してウェブブラウザインターフェイスを使用して貼り付け式チケット２２を要求することができる。ゲストプロファイルが未だ存在しなければ、ユーザ２４は、アカウント情報を含むゲストプロファイルを作成する。この結果、ゲストプロファイルが貼り付け式チケット要求に関連付けられる。その後、この要求が貼り付け式チケットプリンタ４０に転送され、この貼り付け式チケットプリンタ４０が、例えば図１０及び図１１における方法のいくつかのステップに従って貼り付け式チケット２２を準備し、貼り付け式チケット２２をユーザ２４に関連付け、その後に貼り付け式チケット２２をユーザ２４にメールし、又は遊園地１０で受け取ることができる形で貼り付け式チケット２２を提供する。
【００４１】
本明細書では、いくつかの特徴のみを図示し説明したが、当業者には多くの修正及び変更が思い浮かぶであろう。従って、添付の特許請求の範囲は、本開示の実際の趣旨に該当する全てのこのような修正及び変更を含むものであると理解されたい。
【図１】
2021527884.tif 000003
【図２】
2021527884.tif 000004
【図３】
2021527884.tif 000005
【図４】
2021527884.tif 000006
【図５】
2021527884.tif 000007
【図６】
2021527884.tif 000008
【図７】
2021527884.tif 000009
【図８】
2021527884.tif 000010
【図９】
2021527884.tif 000011
【図１０】
2021527884.tif 000012
【図１１】
2021527884.tif 000013
【国際調査報告】
2021527884.tif 000014
2021527884.tif 000015
2021527884.tif 000016